(57)【特許請求の範囲】
【請求項１】
撮影対象としての機器を撮影可能な撮影装置であって、
撮影光学系により結像した光学像を撮像素子により画像情報として取り込む撮像部と、
前記撮像部により取り込まれた画像情報をモニタ画像として表示モニタに表示させるモニタ制御部と、
前記機器の識別情報を取得する識別情報取得部と、
前記機器を撮影する際に、前記機器の大きさ及び前記機器と共に撮影する隣接領域の大きさを有する撮影条件を前記識別情報と対応付けて記憶したガイド記憶部と、
前記ガイド記憶部から、前記識別情報取得部で取得した前記識別情報と対応する前記撮影条件を取得し、前記撮影条件に基づき、前記機器を撮影すべき位置及び大きさを示すガイドパターンを前記モニタ画像と重畳して前記表示モニタに表示させる場合に、前記機器の大きさ及び前記隣接領域の大きさによって定まる前記機器の表示の大きさ及び表示位置で前記ガイドパターンを表示させるガイド表示部と、
を備える撮影装置。
【請求項２】
前記撮影条件の前記機器の大きさ及び前記隣接領域の大きさを前記表示モニタの表示画素数に変換し、前記表示画素数に基づいて前記ガイドパターンを表示させる請求項１に記載の撮影装置。
【請求項３】
前記モニタ画像上の前記隣接領域に、前記機器以外の物体が配置されている場合に警告を発する異物警告部を備える請求項１又は２に記載の撮影装置。
【請求項４】
前記モニタ画像上の前記機器と前記ガイドパターンとがずれている場合に警告を発するずれ警告部を備える請求項１〜３の何れか一項に記載の撮影装置。
【請求項５】
前記ガイドパターンと共に、前記隣接領域の撮影位置及び大きさを示す指標を表示する請求項１〜４の何れか１項に記載の撮影装置。
【請求項６】
撮影対象としての機器を撮影可能な撮影方法であって、
撮影光学系により結像した光学像を撮像素子により画像情報として取り込む撮像ステップと、
前記撮像ステップにより取り込まれた画像情報をモニタ画像として表示モニタに表示させるステップと、
前記機器の識別情報を取得する取得ステップと、
前記機器を撮影する際に、前記機器の大きさ及び前記機器と共に撮影する隣接領域の大きさを有する撮影条件を前記識別情報と対応付けて記憶したガイド記憶部から、前記取得ステップで取得した前記識別情報と対応する前記撮影条件を取得し、前記撮影条件に基づき、前記機器を撮影すべき位置及び大きさを示すガイドパターンを前記モニタ画像と重畳して前記表示モニタに表示させる場合に、前記機器の大きさ及び前記隣接領域の大きさによって定まる前記機器の表示の大きさ及び表示位置で前記ガイドパターンを表示させるステップと、
をコンピュータが実行する撮影方法。
【請求項７】
撮影対象としての機器を撮影可能とする撮影プログラムであって、
撮影光学系により結像した光学像を撮像素子により画像情報として取り込む撮像ステップと、
前記撮像ステップにより取り込まれた画像情報をモニタ画像として表示モニタに表示させるステップと、
前記機器の識別情報を取得する取得ステップと、
前記機器を撮影する際に、前記機器の大きさ及び前記機器と共に撮影する隣接領域の大きさを有する撮影条件を前記識別情報と対応付けて記憶したガイド記憶部から、前記取得ステップで取得した前記識別情報と対応する前記撮影条件を取得し、前記撮影条件に基づき、前記機器を撮影すべき位置及び大きさを示すガイドパターンを前記モニタ画像と重畳して前記表示モニタに表示させる場合に、前記機器の大きさ及び前記隣接領域の大きさによって定まる前記機器の表示の大きさ及び表示位置で前記ガイドパターンを表示させるステップと、
をコンピュータに実行させるための撮影プログラム。
【発明の詳細な説明】
【技術分野】
【０００１】
本発明は、機器の設置状況を撮影する撮影装置、撮影方法及び撮影プログラムに関する。
【背景技術】
【０００２】
太陽光発電システムにおいてパワーコンディショナは、太陽電池や蓄電池等からの直流電力を系統に連系した商用周波数の交流電力に変換するとともに、変換後の交流電力を、商用電力系統に接続されている家庭内負荷に供給する重要なユニットである。このため、万一、故障が生じた場合には、原因を究明し、再発の防止に努めている。例えば、施工時の写真に基づき、パワーコンディショナが適切に設置されていたか否かを検証する。
【先行技術文献】
【特許文献】
【０００３】
【特許文献１】特開２０１１−２５２９５４号公報
【発明の概要】
【発明が解決しようとする課題】
【０００４】
施工時の写真は、施工の結果を記録するものであり、どのように撮影するかは、施工の担当者に委ねられている。このため、施工時の写真が、必ずしも故障の検証に適した写真になっているとは限らなかった。例えば、パワーコンディショナは、電力の変換や供給等の制御に伴って発熱することになるため、この熱を発散するための離間距離がパワーコンディショナの周囲に充分にとられているか否かを確認したい場合があるが、画面一杯にパワーコンディショナが撮影されていると、パワーコンディショナの周囲の状況を知ることができなかった。
【０００５】
そこで本発明は、機器の設置状況を適切に撮影する技術の提供を目的とする。
【課題を解決するための手段】
【０００６】
上記課題を解決するための本発明は、撮影時に表示モニタ上に表示される機器の大きさをガイドパターンに合わせて撮影することで、故障の検証等に必要となる機器の隣接領域を撮影画像内に収めて撮影できるようにしたことを最大の特徴とする。
【０００７】
より詳しくは、撮影対象としての機器を撮影可能な撮影装置であって、
撮影光学系により結像した光学像を撮像素子により画像情報として取り込む撮像部と、
前記撮像部により取り込まれた画像情報をモニタ画像として表示モニタに表示させるモニタ制御部と、
前記機器の識別情報を取得する識別情報取得部と、
前記機器を撮影する際に、前記機器の撮影条件を前記識別情報と対応付けて記憶したガイド記憶部と、
前記ガイド記憶部から、前記識別情報取得部で取得した前記識別情報と対応する前記撮影条件を取得し、前記撮影条件に基づき、前記機器を撮影すべき位置及び大きさを示すガイドパターンを前記モニタ画像と重畳して前記表示モニタに表示させるガイド表示部と、
を備えることを特徴とする。
【０００８】
即ち、本発明は、撮影条件に基づいてガイドパターンの大きさを算出して表示する。これにより、撮影時に表示モニタ上に表示される機器の大きさをガイドパターンに合わせることで、機器の隣接領域が撮影画像内に収まるように撮影することが可能になる。
【０００９】
また、本発明においては、前記撮影条件が、前記機器の大きさ及び前記機器と共に撮影する隣接領域の大きさを有し、前記ガイド表示部が、前記機器及び前記隣接領域を前記表示モニタの表示領域に表示させる場合に、前記機器の大きさ及び前記隣接領域の大きさによって定まる前記機器の表示の大きさ及び表示位置で前記ガイドパターンを表示させる構成としても良い。
【００１０】
これによれば、撮影対象とする機器のサイズと、隣接領域のサイズと、撮影範囲に基づいてガイドパターンの大きさを算出し、撮影時に表示モニタ上に表示される機器の大きさをガイドパターンに合わせることで、機器の隣接領域が撮影画像内に収まり、機器の設置状況を適切に撮影することができる。
【００１１】
また、本発明においては、前記撮影条件の前記機器の大きさ及び前記隣接領域の大きさを前記表示モニタの表示画素数に変換し、前記表示画素数に基づいて前記ガイドパターンを表示させる構成としても良い。これによれば、撮影時に表示モニタ上に表示される機器の大きさをガイドパターンに合わせるといった容易な操作で、撮影する範囲を適切に定めることができる。
【００１２】
本発明においては、前記モニタ画像上の前記隣接領域に、前記機器以外の物体が配置されている場合に警告を発する異物警告部を備えても良い。これによれば、撮影対象の機器の周囲に異物が存在した場合、警告を出力することにより、ユーザに異物の存在を知らせることができ、異物の除去等の対応を行い再撮影することを促すことができる。
【００１３】
本発明においては、前記モニタ画像上の前記機器と前記ガイドパターンとがずれている場合に警告を発するずれ警告部を備えても良い。これによれば、撮影対象の機器がガイドパターンからずれていた場合に、警告を出力することにより、ユーザにずれを知らせることができ、ずれを直して再撮影することを促すことができる。
【００１４】
更に、本発明においては、前記ガイドパターンと共に、前記隣接領域の撮影位置及び大きさを示す指標を表示する構成としても良い。この指標により、必要な撮影領域を明確に認識しつつ撮影を行うことができる。例えば、隣接領域に他の機器が設置されている場合や、隣接領域に影がかかり、不明瞭な部分がある場合には、これらの状況を改善した後に、撮影を行うようにすることで、適切な状態で撮影を行うことができる。
【００１５】
また、本発明は、撮影対象としての機器を撮影可能な撮影方法であって、
撮影光学系により結像した光学像を撮像素子により画像情報として取り込むステップと、
前記撮像部により取り込まれた画像情報をモニタ画像として表示モニタに表示させるステップと、
前記機器の識別情報を取得するステップと、
前記機器を撮影する際に、前記機器の撮影条件を前記識別情報と対応付けて記憶したガイド記憶部から、前記識別情報取得部で取得した前記識別情報と対応する前記撮影条件を取得し、前記撮影条件に基づき、前記機器を撮影すべき位置及び大きさを示すガイドパターンを前記モニタ画像と重畳して前記表示モニタに表示させるステップと、
をコンピュータが実行する方法である。
【００１６】
前記撮影方法は、前記撮影条件が、前記機器の大きさ及び前記機器と共に撮影する隣接領域の大きさを有し、前記ガイド表示部が、前記機器及び前記隣接領域を前記表示モニタの表示領域に表示させる場合に、前記機器の大きさ及び前記隣接領域の大きさによって定まる前記機器の表示の大きさ及び表示位置で前記ガイドパターンを表示させても良い。
【００１７】
また、前記撮影方法は、前記撮影条件の前記機器の大きさ及び前記隣接領域の大きさを前記表示モニタの表示画素数に変換し、前記表示画素数に基づいて前記ガイドパターンを表示させて良い。前記撮影方法は、前記モニタ画像上の前記隣接領域に、前記機器以外の物体が配置されている場合に警告を発しても良い。前記撮影方法は、前記モニタ画像上の前記機器と前記ガイドパターンとがずれている場合に警告を発しても良い。前記撮影方法は、前記ガイドパターンと共に、前記隣接領域の撮影位置及び大きさを示す指標を表示しても良い。
【００１８】
また、本発明は、上記方法をコンピュータに実行させるためのプログラムであっても良い。更に、前記プログラムは、コンピュータが読み取り可能な記録媒体に記録されていても良い。ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
【００１９】
また、コンピュータに固定された記録媒体としてハードディスクやＲＯＭ（リードオンリーメモリ）等がある。
【発明の効果】
【００２０】
本発明によれば、機器の設置状況を適切に撮影することができる。
【図面の簡単な説明】
【００２１】
【図１】図１は、本実施形態１に係る撮影装置の概略構成図である。
【図２】図２は、撮影装置が実行する機能を示す機能ブロック図である。
【図３】図３は、機器テーブルの一例を示す図である。
【図４】図４は、撮影装置が、撮影プログラムに従って実行する撮影方法の説明図である。
【図５Ａ】図５Ａは、撮影用画面の一例を示す図である。
【図５Ｂ】図５Ｂは、撮影用画面の一例を示す図である。
【図６】図６は、ガイド枠の大きさを算出して表示する処理の説明図である。
【図７】図７は、撮影時の撮影用画面の表示例を示す図である。
【図８】図８は、実施形態２の機能ブロック図である。
【図９】図９は、撮影装置が、撮影プログラムに従って実行する撮影方法の説明図である。
【図１０】図１０は、撮影用画面の一例を示す図である。
【図１１】図１１は、撮影必要枠及びガイド枠の大きさを算出して表示する処理の説明図である。
【図１２】図１２は、商品Ｃの端子を選択した場合の表示例を示す図である。
【図１３】図１３は、商品Ｃのパテ埋め部分を選択した場合の表示例を示す図である。
【図１４】図１４は、商品Ｄのコーキング部分を選択した場合の表示例を示す図である。
【図１５】図１５は、実施形態３の機能ブロック図である。
【図１６】図１６は、本実施形態３の撮影方法の説明図である。
【図１７】図１７は、機器とガイド枠の位置がずれた状態を示す図である。
【図１８】図１８は、実施形態４の機能ブロック図である。
【図１９】図１９は、本実施形態４の撮影方法の説明図である。
【図２０】図２０は、隣接領域に異物が存在する状態を示す図である。
【発明を実施するための形態】
【００２２】
以下、図面を参照して本発明の実施形態について説明する。以下の実施形態の構成は例示であり、本発明は実施形態の構成に限定されない。
〈実施形態１〉
《装置構成》
図１は、本実施形態１に係る撮影装置１０の概略構成図である。撮影装置１０は、太陽光発電システムにおけるパワーコンディショナや蓄電池等の撮影対象の機器を撮影する装置であり、例えば、ディジタルカメラ、スマートフォン、タブレット端末、ノートＰＣ（personal computer）、携帯ゲーム機である。撮影装置１０は、プロセッサ１１や、メイ
ンメモリ（主記憶装置）１２、不揮発性のメモリ（補助記憶装置）１３、入出力インターフェイス部１４、通信モジュール１５を有する。
【００２３】
入出力インターフェイス部１４は、表示モニタ１４１、スピーカ１４２等の出力手段や、カメラ１４３、操作部１４４等の入力手段、ドライブ装置１４５等の入出力手段が適宜接続される。カメラ１４３は、撮影レンズ等の撮影光学系により撮像素子の受光面上に被写体像（光学像）を結像させ、撮像素子により光電変換して画像情報を電子データとして取り込むことで撮影を行うものであり、本実施形態において撮像部の一形態である。操作部１４４は、操作ボタンや操作ダイヤルといった物理的な操作手段であってもよいし、表示モニタ１４１に重ねて配置されたタッチパネルにより、表示モニタ１４１に表示させた仮想的なボタン（選択肢）に対する操作を検出する所謂ソフトウェアキーであってもよい。ドライブ装置１４５は、着脱可能な記憶媒体の読み込みや書き込みを行う装置であり、例えば、フラッシュメモリカードの読み書き装置、ＵＳＢメモリを接続するＵＳＢのアダプタ等である。ドライブ装置１４５は、例えば着脱可能な記憶媒体からプログラムを読み出し、メモリ１３に格納する。
【００２４】
メモリ１３は、補助記憶装置として、撮影プログラムや機器テーブル、カメラ１４３の撮影サイズ、表示モニタ１４１の表示サイズ等の情報を記憶する。ここで、機器テーブルは、機器毎の撮影条件を記憶するテーブルである。即ち、機器テーブル（撮影条件）を記憶するメモリ１３は、機器記憶部としても機能する。通信モジュール１５は、無線ネットワークを介して他の装置との通信を行い、例えば、撮影プログラムや撮影条件等の情報を受信し、メモリ１３に格納する。なお、撮影プログラムや撮影条件等の情報を着脱可能な記憶媒体等を介して取得する場合、通信モジュール１５は、省略されてもよい。
【００２５】
プロセッサ１１は、メモリ１３に記憶された撮影プログラムを読み出してメインメモリ１２に展開し、実行する。これにより、プロセッサ１１は、モニタ制御部１１１や、識別情報取得部１１２、ガイド表示部１１３としても機能する。即ち、本実施形態の撮影装置１０は、プロセッサ１１により情報処理を行う情報処理装置（コンピュータ）である。本実施形態では、プロセッサ１１が撮影プログラム（ソフトウェア）に従ってモニタ制御部１１１と、識別情報取得部１１２と、ガイド表示部１１３の機能を実現したが、モニタ制御部１１１と、識別情報取得部１１２と、ガイド表示部１１３の一部又は全てを論理回路等のハードウェアで構成したものであっても良い。
【００２６】
モニタ制御部１１１は、カメラ１４３により取り込まれた画像情報をモニタ画像として表示モニタ１４１に表示させる。識別情報取得部１１２は、撮影対象とする機器の識別情報を取得する。
【００２７】
ガイド表示部１１３は、機器を撮影する際に、機器の撮影条件を前記識別情報と対応付けて記憶したガイド記憶部から、前記識別情報取得部で取得した前記識別情報と対応する前記撮影条件を取得し、前記撮影条件に基づき、前記機器を撮影すべき位置及び大きさを
示すガイド枠（ガイドパターン）を前記モニタ画像と重畳して表示モニタ１４１に表示させる。本実施形態において、ガイド枠はガイドパターンの一形態である。
【００２８】
図２は、撮影装置１０が実行する機能を示す機能ブロック図である。機種選択機能Ｆ１０は、識別情報取得部１１２によって実行される機能である。例えば、識別情報取得部１１２は、機器テーブルから識別情報を読み出し、表示モニタ１４１に表示させてユーザに選択を促す。ユーザが操作部１４４を操作して識別情報を選択すると、識別情報取得部１１２は、選択された識別情報を撮影対象とする機器の識別情報として受け付ける。なお、識別情報の取得は、ユーザによる入力に限らず、撮影対象に表記されている商品名や型番をカメラ１４３で読み取る構成や、バーコード、２次元コード、カラーコード等の識別情報を示すコードを読み取る構成であっても良い。
【００２９】
ガイド枠の算出機能Ｆ２０は、ガイド表示部１１３によって実行される機能であり、機器テーブルから識別情報取得部１１２で取得した前記識別情報と対応する撮影条件を取得し、この撮影条件に基づいてガイド枠の位置及び大きさを算出し、この位置及び大きさをモニタ制御部１１１に通知して表示モニタ１４１に表示させる。
【００３０】
ガイド枠の表示機能Ｆ３０は、モニタ制御部１１１及びガイド表示部１１３によって実行される機能である。ガイド表示部１１３は、ガイド枠の算出機能Ｆ２０で求めたガイド枠の位置及び大きさをモニタ制御部１１１に伝え、この位置及び大きさのガイド枠をモニタ画像と重畳して表示モニタ１４１に表示する。
【００３１】
図３は、機器テーブルの一例を示す図である。機器テーブルは、識別情報と撮影条件を対応付けて記憶している。識別情報は、撮影条件毎に一意に対応付けられた情報であり、機器記号（商品名）と撮影場所とを有する。機器記号は、機器の種類を示す情報であり、本実施形態では、商品名を用いている。撮影場所は、端子やパテ、コーキングといった撮影する機器の一部や、機器の本体外観など、撮影箇所を示す情報である。例えば、ユーザが、“商品Ａ”及び“端子”のように、商品名と撮影場所を選択すると、識別情報取得部１１２が“商品Ａ”及び“端子”を識別情報として取得し、撮影条件が特定される。
【００３２】
撮影条件は、機器のサイズと機器の隣接領域のサイズとを有している。機器の隣接領域のサイズは、機器と共に撮影する隣接領域の大きさを示し、本実施形態では、機器の上下に位置するスペースの垂直方向の長さ、及び機器の左右に位置するスペースの水平方向の長さで示している。隣接領域は、撮影画像から機器の故障等を検証する際に必要となる周囲の領域であり、例えば、パワーコンディショナのように発熱する機器であれば、この熱を発散させるのに必要な領域等が設定される。
【００３３】
〈撮影方法〉
図４は、撮影装置１０が、撮影プログラムに従って実行する撮影方法の説明図である。ユーザの操作等により、撮影機能の開始が指示された場合に、撮影装置１０は、図４の処理を開始する。
【００３４】
先ず、撮影装置１０は、機器を撮影するための撮影用画面を表示モニタ１４１に表示する(ステップＳ１０)。図５Ａは、撮影用画面の一例を示す図であり、図５Ａに示すように、撮影用画面は、操作メニュー３４と、画像表示欄３５を有し、操作メニュー３４が、商品名を選択するための選択肢３１や撮影場所を選択するための選択肢３２、撮影ボタン３３を有している。画像表示欄３５は、カメラ１４３で撮影した画像情報を表示する領域であり、図５Ａの例では、表示モニタ１４１の表示領域４１と一致させている。また、図５Ａの例では、操作メニュー３４を画像表示欄３５内の右端に表示させ、画像表示欄３５の中央にガイド枠３６を表示させている。これに限らず、図５Ｂのように、画像表示欄３５
を表示モニタ１４１の表示領域４１内の任意の位置に表示し、画像表示欄３５の外に操作メニュー３４を表示しても良い。なお、ガイド枠３６は、後段のステップで位置や大きさが算出されるが、ステップＳ１０では、前回の処理の算出結果に基づく位置や大きさで表示する。
【００３５】
次に、ユーザによる識別情報（商品名・撮影場所）の選択を受け付け(ステップＳ２０)、識別情報の選択を受けたと判定した場合(ステップＳ３０、Ｙｅｓ)、即ち識別情報が入力されたと判定した場合には、当該識別情報に基づいてガイド枠３６の位置及び大きさを算出し、カメラ１４３で取得した画像情報と重畳させて表示モニタ１４１に表示させ(ス
テップＳ４０)、ステップＳ５０へ移行する。なお、ステップＳ３０で選択を受けていな
いと判定した場合(ステップＳ３０、Ｎｏ)、新たにガイド枠３６の位置及び大きさを算出せず、ステップＳ１０で表示した状態でステップＳ５０へ移行する。
【００３６】
ステップＳ５０では、撮影ボタン３３が選択されたか否かを判定し、撮影ボタン３３が選択されていないと判定した場合には(ステップＳ５０、Ｎｏ)、図４の処理を終了し、撮影ボタン３３が選択されたと判定した場合には(ステップＳ５０、Ｙｅｓ)、撮影ボタン３３が選択された時の画像情報を撮影画像としてメモリ１３或はドライブ装置に１４５に装着された着脱可能な記憶媒体に記憶させる。このとき撮影装置１０は、撮影画像のファイル名と識別情報を対応付けた情報をメモリ１３に記憶してもよいし、撮影画像のファイル名やＥｘｉｆ情報に識別情報を付加してもよい。なお、図４の処理は、撮影の終了が指示されるまで、周期的に繰り返し実行する。
【００３７】
図６は、図４のステップＳ４０でガイド枠３６の位置及び大きさを算出して表示する処理の詳細な説明図である。図４のステップＳ３０で識別情報が選択されたと判定された場合、図６に示すように、撮影装置１０は、機器テーブルから機器のサイズと機器の隣接領域のサイズを読み込み(ステップＳ１２０)、また、カメラ１４３の撮影範囲を読み込む(
ステップＳ１３０)。
【００３８】
次に撮影装置１０は、機器のサイズと、隣接領域のサイズと、撮影範囲に基づき、ガイド枠３６の大きさを算出する(ステップＳ１４０)。
【００３９】
例えば、機器と隣接領域を撮影画像内に収めるために必要な撮影領域の高さ（撮影必要高さ）Ｈは、式１のように、機器サイズの高さＬｈと、上スペースの長さＳｔと、下スペースの長さＳｄとを積算して求める。
Ｈ＝Ｌｈ＋Ｓｔ＋Ｓｄ  ・・・式１
【００４０】
機器と隣接領域を撮影画像内に収めるために必要な撮影領域の幅（撮影必要幅）Ｗは、式２のように、機器サイズの幅Ｌｗと、左スペースの長さＳｌと、右スペースの長さＳｒとを積算して求める。
Ｗ＝Ｌｗ＋Ｓｌ＋Ｓｒ  ・・・式２
【００４１】
そして、式３のように、撮影範囲の高さ（カメラ１４３で撮影した画像情報の縦方向の画素数）Ｐｙに対する撮影必要高さＨの割合Ｂｙと、撮影範囲の幅（カメラ１４３で撮影した画像情報の横方向の画素数）Ｐｘに対する撮影必要幅Ｗの割合Ｂｘを求める。
Ｂｙ＝Ｐｙ／Ｈ、Ｂｘ＝Ｐｘ／Ｗ  ・・・式３
【００４２】
なお、デジタルズームが用いられると、撮影範囲の高さＰｙ及び撮影範囲の幅Ｐｘの値が変化するため、デジタルズームが用いられた場合には、ズーム後の撮影範囲の高さＰｙ及び撮影範囲の幅Ｐｘを取得する。また、図６の処理を開始した際にデジタルズームの機能を無効とし、デジタルズームを用いない構成としてもよい。  割合Ｂｘが割合Ｂｙより
大きければ、機器の大きさ［mm］を表示モニタ１４１上の大きさ[pixel]に変換する変換
係数Ａｙを式４のように、撮影範囲の高さＰｙを撮影必要高さＨで除して求める。
Ａｙ＝Ｐｙ／Ｈ  ・・・式４
【００４３】
そして、式５のように、ガイド枠３６の幅Ｇｘ及び高さＧｙは、機器の幅Ｌｗと機器の高さＬｈに夫々変換係数Ａｙを乗じて求める。
Ｇｘ＝Ａｙ×Ｌｗ、Ｇｙ＝Ａｙ×Ｌｈ  ・・・式５
【００４４】
そして、式６のように、各スペースの長さＳｌ，Ｓｒ，Ｓｔ，Ｓｄに変換係数Ａｙを乗じて、各スペースの表示モニタ上の長さＲｌ，Ｒｒ，Ｒｔ，Ｒｄを求め、この長さＲｌ，Ｒｒ，Ｒｔ，Ｒｄに基づいてガイド枠３６の位置を定める。
Ｒｌ＝Ａｙ×Ｓｌ、Ｒｒ＝Ａｙ×Ｓｒ、Ｒｔ＝Ａｙ×Ｓｔ、Ｒｄ＝Ａｙ×Ｓｄ・・式６
【００４５】
一方、前記割合Ｂｘが割合Ｂｙより小さければ、機器の大きさ［mm］を表示モニタ１４１上の大きさ[pixel]に変換する変換係数Ａｘを式７のように、撮影範囲の幅Ｐｘを撮影
必要幅Ｗで除して求める。
Ａｘ＝Ｐｘ／Ｗ  ・・・式７
【００４６】
次に、撮影装置１０は、式８のように、ガイド枠３６の幅Ｇｘ及び高さＧｙを機器の幅Ｌｗと機器の高さＬｈに夫々変換係数Ａｘを乗じて求める。
Ｇｘ＝Ａｘ×Ｌｗ、Ｇｙ＝Ａｘ×Ｌｈ  ・・・式８
【００４７】
そして、式９のように、各スペースの長さＳｌ，Ｓｒ，Ｓｔ，Ｓｄに変換係数Ａｘを乗じて、各スペースの表示モニタ上の長さＲｌ，Ｒｒ，Ｒｔ，Ｒｄを求め、この長さＲｌ，Ｒｒ，Ｒｔ，Ｒｄに基づいてガイド枠３６の位置を定める。
Ｒｌ＝Ａｘ×Ｓｌ、Ｒｒ＝Ａｘ×Ｓｒ、Ｒｔ＝Ａｘ×Ｓｔ、Ｒｄ＝Ａｘ×Ｓｄ・・式９
【００４８】
そして、撮影装置１０は、上記で求めた位置及び大きさのガイド枠３６をカメラ１４３で撮影した画像情報と重畳させて表示する(ステップＳ１５０)。
【００４９】
図７は、撮影時の撮影用画面の表示例を示す図である。ユーザは、図７に示すように機器の外縁がガイド枠３６と一致するように撮影装置１０の向きや撮影装置１０と機器との距離を調整し、一致した際に撮影ボタン３３を選択する。なお、本例において、一致とは、厳密に一致することに限らず、所定の範囲内に近接した場合も含む。これにより機器を撮影した際、機器の故障等を検証するのに必要となる周囲の領域が、撮影画像内に収まることになり、機器の設置状況を適切に撮影することができる。図７では、ガイドパターンとして、枠の例（ガイド枠３６）を示したが、ガイドパターンは、機器を撮影する位置と大きさを示すことができる形状であれば、矩形状の網掛けや十字、Ｘ字など、任意の形状で表示してもよい。
【００５０】
〈実施形態２〉
図８は、実施形態２の機能ブロック図である。本実施形態２は、前述の実施形態１と比べて、撮影に必要な領域の外縁を示す撮影必要枠を表示する構成が異なり、その他の構成は同じである。このため、前述の実施形態１と同一の構成には同符号を付す等して再度の説明を省略している。
【００５１】
図８において、撮影必要枠の算出機能Ｆ２５は、ガイド表示部１１３によって実行される機能であり、機器テーブルから識別情報取得部１１２で取得した前記識別情報と対応する撮影条件を取得し、この撮影条件に基づいて撮影必要枠の大きさを算出し、この大きさをモニタ制御部１１１に通知して表示モニタ１４１に表示させる。
【００５２】
ガイド枠の表示機能Ｆ３０Ａは、モニタ制御部１１１及びガイド表示部１１３によって実行される機能である。ガイド表示部１１３は、撮影必要枠の算出機能Ｆ２５及びガイド枠の算出機能Ｆ２０で求めた撮影必要枠３７の大きさと、ガイド枠の位置及び大きさをモニタ制御部１１１に伝え、この位置及び大きさでガイド枠と撮影必要枠をモニタ画像と重畳して表示モニタ１４１に表示する。
【００５３】
図９は、撮影装置１０が、撮影プログラムに従って実行する撮影方法の説明図である。ユーザの操作等により、撮影機能の開始が指示された場合に、撮影装置１０は、図９の処理を開始する。
【００５４】
先ず、撮影装置１０は、機器を撮影するための撮影用画面を表示モニタ１４１に表示する(ステップＳ１０Ａ)。図１０は、撮影用画面の一例を示す図であり、図１０に示すように、撮影用画面として、操作メニュー３４と、画像表示欄３５を表示させ、画像表示欄３５にガイド枠３６と撮影必要枠３７とを表示させている。
【００５５】
次に、ユーザによる識別情報（商品名・撮影場所）の選択を受け付け(ステップＳ２０)、識別情報の選択を受けたと判定した場合、即ち識別情報が入力されたと判定した場合には(ステップＳ２０、Ｙｅｓ)、当該識別情報に基づいて、撮影必要枠３７の大きさと、ガイド枠３６の位置及び大きさを算出して表示モニタ１４１に表示させる(ステップＳ４０
Ａ)。なお 、以降の処理（ステップＳ５０、Ｓ６０)は、前述の図４と同じである。なお
、図９の処理は、撮影の終了が指示されるまで、周期的に繰り返し実行する。
【００５６】
図１１は、図９のステップＳ４０Ａで撮影必要枠３７及びガイド枠（ガイドパターン）３６の大きさを算出して表示する処理の詳細な説明図である。図１１の処理は、前述の実施形態１の図６と比べて、撮影に必要な領域の外縁を示す撮影必要枠を表示する処理が追加され、その他の処理は同じである。このため、前述の実施形態１と同一の処理には同符号を付す等して再度の説明を省略している。
【００５７】
図１１は、図９と同様にステップＳ１４０でガイド枠３６の大きさを算出した後、ステップＳ１４１にて、撮影必要枠３７の高さＭｈは、式１０のようにガイド枠３６の高さＧｘに、隣接領域の上スペースＲｔ、隣接領域の下スペースＲｄを積算して求める。撮影必要枠３７の幅Ｍｗは、式１１のようにガイド枠の幅Ｇｙに、隣接領域の左スペースＲｌ、隣接領域の右スペースＲｒを積算して求める。
Ｍｈ＝Ｇｘ＋Ｒｔ＋Ｒｄ  ・・・式１０
Ｍｗ＝Ｇｙ＋Ｒｌ＋Ｒｒ  ・・・式１１
【００５８】
そして、撮影装置１０は、上記で求めた位置及び大きさのガイド枠３６及び撮影必要枠３７をカメラ１４３で撮影した画像情報と重畳させて表示する(ステップＳ１５１)。
【００５９】
ユーザは、図１０に示すように機器の外縁がガイド枠３６と一致するように撮影装置１０の向きや撮影装置１０と機器との距離を調整し、撮影必要枠３７に機器の周囲の状況が適切に表示されているか等を確認して撮影ボタン３３を選択する。これにより機器を撮影した際、機器の故障等を検証するのに必要となる周囲の領域が、撮影画像内に収まることになり、機器の設置状況を適切に撮影することができる。また、機器と共に撮影必要枠３７を表示するため、必要な撮影領域を明確に認識しつつ撮影を行うことができる。例えば、撮影必要枠３７内に他の機器が設置されている場合や、撮影必要枠３７内に影等がかかり、不明瞭な部分がある場合には、これらの状況を改善した後に、撮影を行うようにすることで、適切な状態で撮影を行うことができる。
【００６０】
このガイド枠３６は、選択した機器の識別情報に応じて変更されるようになっており、図１０は、商品Ｃの本体を選択した例を示し、図１２は、商品Ｃの端子を選択した例を示す。図１０のように、パワーコンディショナの本体と、その周囲を撮影することで、パワーコンディショナの周囲に熱を発散させるのに十分な離隔距離が取られているか否かが撮影画像から判断できる。また、図１２のように、端子とその周囲を撮影することで、端子に接続されている配線が、ねじれることや屈曲することなく適切に取り回されているか等が撮影画像から判断できる。
【００６１】
また、図１３は、商品Ｃのパテ埋め部分を選択した例を示し、図１４は、商品Ｄのコーキング部分を選択した例を示す。図１３のように、パテ埋め部分３８とその周囲を撮影することで、適切な箇所にパテ埋めしているかや、周囲への飛散が無いか等が撮影画像から判断できる。また、図１４のように、コーキング部分３９とその周囲を撮影することで、適切な箇所にコーキングしているかや、周囲にコ−キングと干渉する物体が無いか等が撮影画像から判断できる。
【００６２】
〈実施形態３〉
図１５は、実施形態３の機能ブロック図である。本実施形態３は、前述の実施形態２と比べて、撮影装置１０が、撮影対象の機器とガイド枠（ガイドパターン）３６とのずれを検出して警告するずれ警告部を備えた構成が異なり、その他の構成は同じである。このため、前述の実施形態２と同一の構成には同符号を付す等して再度の説明を省略している。
【００６３】
本実施形態３の撮影装置は、プロセッサ１１が、撮影プログラムに従い、前述のモニタ制御部１１１や、識別情報取得部１１２、ガイド表示部１１３に加えて、ずれ警告部としても機能する。
【００６４】
図１５において、画像の取り込み処理Ｆ４０はカメラ１４３によって実行される機能であり、機器撮影範囲の判定機能Ｆ４５は、ずれ警告部によって実行される機能である。機器撮影範囲の判定機能Ｆ４５は、カメラ１４３で取得した画像内に撮影されている物体（機器）の輪郭を抽出し、この機器の輪郭とガイド枠３６との位置を比較し、このずれが所定の範囲より大きければ警告を発する機能である。
【００６５】
図１６は、本実施形態３の撮影方法の説明図である。図１６において、ステップＳ１０Ａ〜Ｓ５０は、前述の図９と同じであり、ステップＳ５０で撮影ボタンが選択されたと判定した場合(ステップＳ５０、Ｙｅｓ)、撮影装置１０は、撮影対象の機器の輪郭とガイド枠３６の位置を比較し(ステップＳ５３)、ずれているか否かを判定する(ステップＳ５５)。図１７は、撮影対象の機器の輪郭とガイド枠３６の位置がずれた状態を示す図である。
【００６６】
撮影対象の機器の輪郭とガイド枠３６の位置がずれていなければ(ステップＳ５５、Ｎ
ｏ)、撮影を行い(ステップＳ６０)、ずれていれば(ステップＳ５５、Ｙｅｓ)、警告を出
力して(ステップＳ７０)、図１６の処理を終了する。なお、図１６の例では、機器の輪郭とガイド枠３６の位置がずれている場合、撮影画像を記録せずに処理を終了したが、これに限らず、ステップＳ７０で警告を発した後、ステップＳ６０へ移行して撮影画像を記録しても良い。なお、警告とは、例えば、表示モニタ１４１への警告メッセージの表示や、インジケータ（不図示）の点灯、スピーカ１４２による音や音声の出力、通信モジュール１５による他の装置への警告メッセージの送信、バイブレータ（不図示）による振動の発生などである。
【００６７】
本実施形態によれば、撮影対象の機器がガイド枠３６からずれていた場合に、警告を出力することにより、ユーザにずれを知らせることができ、ずれを直して再撮影することを促すことができる。
【００６８】
〈実施形態４〉
図１８は、実施形態４の機能ブロック図である。本実施形態４は、前述の実施形態２と比べて、撮影装置１０が、撮影必要枠３７内に異物が存在する場合に警告する異物警告部を備えた構成が異なり、その他の構成は同じである。このため、前述の実施形態２と同一の構成には同符号を付す等して再度の説明を省略している。
【００６９】
本実施形態４の撮影装置は、プロセッサ１１が、撮影プログラムに従い、前述のモニタ制御部１１１や、識別情報取得部１１２、ガイド表示部１１３に加えて、異物警告部としても機能する。
【００７０】
図１８において、画像の取り込み処理Ｆ４０はカメラ１４３によって実行される機能であり、隣接領域の異物判定機能Ｆ５０は、異物警告部によって実行される機能である。隣接領域の異物判定機能Ｆ５０は、カメラ１４３で取得した画像情報のうち、ガイド枠３６の外側であって、撮影必要枠３７の内側に存在する物体を異物として検出し、この異物が検出された場合に警告を発する機能である。
【００７１】
図１９は、本実施形態４の撮影方法の説明図である。撮影装置１０は、図１９に示すステップＳ１０ＡからステップＳ５０までは、前述の図９と同様に実行し、ステップＳ５０で撮影ボタンが選択されたと判定した場合(ステップＳ５０、Ｙｅｓ)、カメラ１４３で取得した画像情報のうち、ガイド枠３６の外側であって、撮影必要枠３７の内側について異物の検出を行う(ステップＳ５７)。図２０は、隣接領域に異物４９が存在する状態を示す図である。
【００７２】
そして、撮影装置１０は、この異物が検出されたか否かを判定し(ステップＳ５８)、異物が検出されていないと判定した場合(ステップＳ５５、Ｎｏ)、撮影を行い(ステップＳ
６０)、異物が検出されたと判定した場合には(ステップＳ５８、Ｙｅｓ)、警告を出力し
て(ステップＳ７５)、図１９の処理を終了する。なお、図１９の例では、異物を検出した場合、撮影画像を記録せずに処理を終了したが、これに限らず、ステップＳ７５で警告を発した後、ステップＳ６０へ移行して撮影画像を記録しても良い。なお、警告とは、例えば、表示モニタ１４１への警告メッセージの表示や、インジケータ（不図示）の点灯、スピーカ１４２による音や音声の出力、通信モジュール１５による他の装置への警告メッセージの送信、バイブレータ（不図示）による振動の発生などである。
【００７３】
本実施形態４によれば、撮影対象の機器の周囲に異物が存在した場合、警告を出力することにより、ユーザに異物の存在を知らせることができ、異物の除去等の対応を行い再撮影することを促すことができる。
【００７４】
なお、本実施形態４は、異物警告部を備えた構成以外を実施形態２と同じとしたが、これに限らず、例えば実施形態３と同じとしても良い。即ち、実施形態３のずれ警告部と本実施形態４の異物警告部とを備えた撮影装置１０としても良い。また、異物の検出は、必ずしも全ての撮影対象について行わなくても良く、撮影場所が本体であれば異物の検出を行い、端子であれば異物の検出を行わないなど、識別情報に応じて異物の検出を行うか否かを設定しても良い。
【００７５】
《その他》
以上の実施形態は、さらに以下の付記と呼ぶ態様を含む。以下の各付記に含まれる構成要素は、他の付記に含まれる構成と組み合わせることができる。
【符号の説明】
【００７６】
１０  撮影装置
１１  プロセッサ
１２  メインメモリ
１３  メモリ
１４  入出力インターフェイス部
１５  通信モジュール
３１  選択肢
３２  選択肢
３３  撮影ボタン
３４  操作メニュー
３５  画像表示欄
３６  ガイド枠（ガイドパターン）
３７  撮影必要枠
４１  表示領域
１１１  モニタ制御部
１１２  識別情報取得部
１１３  ガイド表示部
１４１  表示モニタ
１４２  スピーカ
１４３  カメラ
１４４  操作部
１４５  ドライブ装置
【図１】
0006503990.tif 000002
【図２】
0006503990.tif 000003
【図３】
0006503990.tif 000004
【図４】
0006503990.tif 000005
【図５Ａ】
0006503990.tif 000006
【図５Ｂ】
0006503990.tif 000007
【図６】
0006503990.tif 000008
【図７】
0006503990.tif 000009
【図８】
0006503990.tif 000010
【図９】
0006503990.tif 000011
【図１０】
0006503990.tif 000012
【図１１】
0006503990.tif 000013
【図１２】
0006503990.tif 000014
【図１３】
0006503990.tif 000015
【図１４】
0006503990.tif 000016
【図１５】
0006503990.tif 000017
【図１６】
0006503990.tif 000018
【図１７】
0006503990.tif 000019
【図１８】
0006503990.tif 000020
【図１９】
0006503990.tif 000021
【図２０】
0006503990.tif 000022